(57)【要約】【課題】電子メールの内容に応じた音楽を主観的な印象に基づいて、自動的に選曲する方法及び装置を提供する。【解決手段】利用者宛の電子メールより文字列を検出し、検出した文字列を変換テーブルにより楽曲の印象を数量化した「印象値」に変換し、予めＨＤＤ等の蓄積メディアに格納した音楽コンテンツから抽出しておいた「印象値ＤＢ」と前記現在位置を表現した印象値とを比較することにより、利用者宛の電子メールの内容に適した音楽を自動的に選曲・再生することが可能となる。【選択図】　図１
2004126934.tif 000002
【特許請求の範囲】
【請求項１】
電子メールから特定文字列を検出する文字列検出手段と、
前記特定文字列を印象値の検索中心座標値に変換する文字列−印象値変換手段と、
前記検索中心座標値に近い印象値の曲を選曲する印象検索手段と
を備えた音楽選曲装置。
【請求項２】
前記印象検索手段で選曲した曲を再生する再生手段をさらに備えた請求項１記載の音楽選曲装置。
【請求項３】
音楽信号を入力する音響信号入力手段と、
前記音楽信号から印象値を算出する印象値算出手段とをさらに備えたことを特徴とする請求項１または請求項２記載の音楽選曲装置。
【請求項４】
電子メールからヘッダー情報を検出するヘッダー情報検出手段と、
前記ヘッダー情報に基づいて前記印象値の検索中心座標値を修正する印象値修正手段とをさらに備え、
前記印象検索手段は、前記印象値修正手段から出力される前記印象値の検索中心座標値に近い印象値の曲を選曲して再生することを特徴とする請求項１または請求項２記載の音楽選曲装置。
【請求項５】
前記印象検索手段は、前記印象値の検索中心座標値に対して、距離計算による検索から検索結果を出力し、前記検索結果から曲ＩＤを選択し、前記曲ＩＤに対する音楽信号を取り出すことを特徴とする請求項１から請求項４のいずれか１項に記載の音楽選曲装置。
【請求項６】
電子メールから特定文字列を検出する文字列検出ステップと、
前記特定文字列を印象値の検索中心座標値に変換する特定文字列−印象値変換ステップと、
前記検索中心座標値に近い印象値の曲を選曲する印象検索ステップと
を備えた音楽選曲方法。
【請求項７】
前記印象検索ステップで選曲した曲を再生する再生ステップを備えた請求項６記載の音楽選曲方法。
【請求項８】
請求項６または請求項７に記載の処理をコンピュータに機能させるためのプログラムを記録した音楽選曲方法プログラム記録媒体。
【請求項９】
請求項６または請求項７に記載の処理をコンピュータに機能させるためのプログラムとした音楽選曲方法のプログラム。
【発明の詳細な説明】
【０００１】
【発明の属する技術分野】
本発明は、音楽選曲装置および音楽選曲方法に関するもので、利用者の電子メールの内容に合った音楽を簡便に提供する装置および方法に関する。
【０００２】
【従来の技術】
従来、受信した電子メールによって音楽を選曲、再生する場合、電子メールのキーワードと音楽ファイルそのものを予め対応付けておく必要があった。また、そのキーワードもメール本文の内容とは関係ないヘッダー情報、例えば差出人情報などを利用したものである（例えば特許文献１参照。）。
【０００３】
【特許文献１】
特開２００１−１６７０１１号公報
【０００４】
【発明が解決しようとする課題】
従来技術の多くが受信した電子メールの差出人に対応付けられた音楽を再生するといったもので、電子メールの内容に合った音楽を自動的に選曲するものではない。言い換えれば、電子メールの差出人と音楽を予め対応付けていなければ、音楽は選曲されない。
【０００５】
また、電子メールの本文に「楽しかったよ！」と書いてあった場合、メールを受信した際に楽しくなるような音楽が再生されれば、メールを読む前にメールの内容を直感的に知ることができる。
【０００６】
しかし、このように感性を用いて音楽を選曲する場合、音楽の印象を人間が聞いて判断するといったことを、各曲に対して予め行っておく必要があり、作業がとても煩雑である。
【０００７】
【課題を解決するための手段】
この課題を解決するため本発明の音楽選曲装置は、電子メールから特定文字列を検出する文字列検出手段と、前記特定文字列を印象値の検索中心座標値に変換する文字列−印象値変換手段と、前記検索中心座標値に近い印象値の曲を選曲する印象検索手段とを備えたことを特徴とする。
【０００８】
この課題を解決するため本発明の音楽選曲装置は、前記印象検索手段で選曲した曲を再生する再生手段をさらに備えたことを特徴とする。
【０００９】
この課題を解決するため本発明の音楽選曲装置は、音楽信号を入力する音響信号入力手段と、前記音楽信号から印象値を算出する印象値算出手段とをさらに備えたことを特徴とする。
【００１０】
この課題を解決するため本発明の音楽選曲装置は、電子メールからヘッダー情報を検出するヘッダー情報検出手段と、前記ヘッダー情報に基づいて前記印象値の検索中心座標値を修正する印象値修正手段とをさらに備え、前記印象検索手段は、前記印象値修正手段から出力される前記印象値の検索中心座標値に近い印象値の曲を選曲して再生することを特徴とする。
【００１１】
この課題を解決するため本発明の音楽選曲装置は、前記印象検索手段は、前記印象値の検索中心座標値に対して、距離計算による検索から検索結果を出力し、前記検索結果から曲ＩＤを選択し、前記曲ＩＤに対する音楽信号を取り出すことを特徴とする。
【００１２】
この課題を解決するため本発明の音楽選曲方法は、電子メールから特定文字列を検出する文字列検出ステップと、前記特定文字列を印象値の検索中心座標値に変換する特定文字列−印象値変換ステップと、前記検索中心座標値に近い印象値の曲を選曲する印象検索ステップとを備えたことを特徴とする。
【００１３】
この課題を解決するため本発明の音楽選曲装置は、前記印象検索ステップで選曲した曲を再生する再生ステップを備えたことを特徴とする。
【００１４】
【発明の実施の形態】
（実施の形態１）
図１は、本発明の楽曲選曲装置を示すブロック図である。図１において、５０は電子メールから文字列を検出する文字列検出手段、５１は検出した文字列を印象値に変換する文字列−印象値変換手段、５２は変換した印象値の座標値に近い位置にある楽曲を検索する印象値検索手段、５３は楽曲の印象値を格納する印象値データベース、５４は楽曲の印象値を算出する印象値算出手段、５５は楽曲を格納しておく音楽ソース格納手段、５６は格納されている音楽ソースから音楽ソースを選択する音楽ソース選択手段、５７は選択された音楽ソースを再生する音楽ソース再生手段、１００は音楽信号を入力する音響信号入力手段である。
【００１５】
文字列検出手段５０は、利用者宛の電子メールより、特定文字列を抽出し、文字列−印象値変換手段５１に与える。文字列−印象値変換手段５１は、特定文字列と印象空間における座標値とを対応させた文字列・印象値変換テーブルを備えており、特定文字列が与えられると、対応する座標値を検索中心値として出力し、印象値検索手段５２に与える。文字列・印象値変換テーブルの例を図２に示す。文字列検出手段５０において、特定文字列が複数抽出された場合には、文字列を重み付けし、印象値を算出する。文字列は言葉だけではなく、記号などを組み合わせた、いわゆる顔文字でもよい。この場合も同様に、文字列検出手段５０で顔文字を抽出し、文字列−印象値変換手段５１に与える。そして、文字列−印象値変換手段５１で、顔文字・印象値変換テーブルを用いて、対応する座標値を検索中心として、印象値検索手段５２に与える。顔文字・印象値変換テーブルの例を図３に示す。
【００１６】
音楽ソース格納手段５５は、ＨＤＤなどの記憶装置であって、複数の音楽信号が格納されている。曲名や曲番号などの曲ＩＤにより、所望の音楽信号のデータを呼び出すことができる。音楽信号は、リニアＰＣＭによる波形データやＡＡＣなどの圧縮されたデータとして格納されている。
【００１７】
印象値算出手段５４は、音響信号入力手段１００より入力される音楽信号の物理的な特徴量を分析し、特徴量を重み付け加算した印象値を算出する。物理的な特徴量としては、スペクトル変化度、平均発音数、発音非周期性、拍周期、拍周期比率、拍強度、拍強度比などが解析される。解析によって得られた、これらの特徴量に対して所定の重み付け加算を行い、印象値を算出する。印象値は１つ以上、一般的には、２つから５つとする。２つの場合は、２つの印象値の組み合わせによって、多数の曲を区別、判断できる２次元の空間となる。５つの場合は５次元空間となる。複数の楽曲は、この空間にそれぞれの印象値の座標値を保有することになる。
【００１８】
印象値とは、激しさ、躍動感、爽快感、素朴さ、ソフトさなどのように、人が音楽を聴いたときに感じる感覚や情緒を表す指標値である。これらの指標値は、それぞれ、上記の物理的な特徴量の線形あるいは非線形の関数として表すことができる。激しさ、躍動感、爽快感、素朴さ、ソフトさの５種類の印象値を用いれば、５次元空間になる。このような楽曲の印象値を表した空間座標系を以後印象空間と呼ぶ。印象値は楽曲を聴いた印象を示す数量であるため、印象空間上に複数の楽曲の印象値を布置するとその印象の類似性に応じて布置されることとなる。すなわち印象の類似する楽曲は、印象空間上においても近接した位置に布置される。
【００１９】
本発明においては、このような特徴量や印象値のデータ登録や楽曲検索、略称して、印象検索法を適用することができる。印象検索法としては、例えば特願平２００１−０８２１５０号公報がある。
【００２０】
印象値データベース５３は、印象値算出手段５４により算出された印象値を音楽ソース格納手段５５内の各楽曲の楽曲ＩＤに対応して、格納している。
【００２１】
印象値検索手段５２には、検索中心座標値が入力される。検索中心座標値は、再生を希望する曲の印象空間における座標である。なお、この座標の位置に曲が存在するとは限らない。印象値検索手段５２は、入力された検索中心座標値を中心として、これに近い位置にある楽曲を選択する。検索中心座標値と各楽曲の印象値との間のユークリッド距離を計算し、ユークリッド距離が最も小さいものから優先して１曲あるいは数曲選択し、その楽曲の曲ＩＤを出力する。ユークリッド距離が小さいということは、検索中心座標値の印象値に近い印象値を有する楽曲が選択されることになる。
【００２２】
音楽ソース選択手段５６は、入力される曲ＩＤが複数の場合、その中から選択して１曲を選び、音楽ソース格納手段５５に与え、その曲ＩＤの音楽信号を得て、音楽ソース再生手段５７に与える。印象値検索手段５２が曲ＩＤをひとつだけ出力した場合は、音楽ソース選択手段５６は、その曲ＩＤを音楽ソース格納手段５５に与えて、その曲ＩＤの音楽信号を得て、音楽ソース再生手段５７に与える。
【００２３】
音楽ソース格納手段５５に格納する音楽信号は、固定化することなく、配信してもよい。配信にはインターネットやリムーバブルメディアを使用することができる。特に新曲については、配信による供給は有力な方法のひとつである。新曲が音楽ソース格納手段５５に格納されると、その音楽信号は、印象値算出手段５４に与えられ、新曲の特徴量の分析と印象値の算出が行われ、印象値データベース５３に印象値が追加される。
【００２４】
本実施の形態では、音楽ソース格納手段５５に新曲が追加されても、その新曲の曲ＩＤや曲番号を意識して、利用者が選曲する必要がなく、その新曲が電子メールにおける選曲の対象に加わることになる。これは、直接、曲ＩＤや曲番号により選曲するのではなく、印象値により選曲する方式を採用しているためである。
【００２５】
図４は、本実施の形態に対応する音楽選曲方法のフローチャートで、図１の音楽選曲装置の機能を実現する方法を示す。
【００２６】
図４において、音楽ソース格納ステップ（ＳＴ１）は、ＨＤＤなどの記憶装置のような音楽ソース格納手段５５に複数の音楽信号を格納する。曲名や曲番号などの曲ＩＤにより、所望の音楽信号のデータを呼び出すことができる。音楽信号はリニアＰＣＭによる波形データやＡＡＣなどの圧縮されたデータとして格納されている。
【００２７】
印象値算出ステップ（ＳＴ２）において、入力される音楽信号の物理的な特徴量を分析し、特徴量を重み付け加算した印象値を算出する。特徴量、印象値については既に説明したものである。
【００２８】
本発明においては、このような特徴量や印象値のデータ登録や楽曲検索、略称して、印象検索法を適応することができる。印象検索法としては、例えば特許文献２がある。
【００２９】
印象値データベース化ステップ（ＳＴ３）では、印象値算出ステップ（ＳＴ２）において算出された印象値を音楽ソース格納手段５５内の各楽曲に対応して格納する。
【００３０】
文字列抽出ステップ（ＳＴ１１）では、電子メールの本文より特定文字列を検出し、特定文字列−印象値変換ステップ（ＳＴ１２）に渡す。
【００３１】
特定文字列−印象値変換ステップ（ＳＴ１２）では、文字列と印象空間における座標値とを対応させた文字列・印象値変換テーブルを参照し、文字列が与えられると、対応する座標値を検索中心座標値として出力し、印象値検索ステップ（ＳＴ１３）に渡す。
【００３２】
検索中心座標値は、再生を希望する曲の印象空間における座標である。印象値検索ステップ（ＳＴ１３）は、入力された検索中心座標値を中心として、これに近い位置ある楽曲を選択する。検索中心座標値と各楽曲の印象値との間のユークリッド距離を計算し、ユークリッド距離が最も小さいものから優先して１曲あるいは数曲選択し、その楽曲の曲ＩＤを音楽ソース選択ステップ（ＳＴ１４）に渡す。ユークリッド距離が小さいということは、検索中心座標値の印象値に近い印象値を有する楽曲が選択されたことになる。
【００３３】
音楽ソース選択ステップ（ＳＴ１４）は、入力される曲ＩＤが複数の場合、その中から選択して１曲を選び、音楽ソース格納手段５５にアクセスして、その曲ＩＤの音楽信号を得て、音楽ソース再生ステップ（ＳＴ１５）に渡す。印象値検索ステップ（ＳＴ１３）において、曲ＩＤをひとつだけ出力した場合は、音楽ソース選択ステップ（ＳＴ１４）は、その曲ＩＤで音楽ソース格納手段５５にアクセスして、その曲ＩＤの音楽信号を得て、音楽再生ステップ（ＳＴ１５）に与える。音楽再生ステップ（ＳＴ１５）は、音楽信号を音響信号に変換する。
【００３４】
本実施の形態では、電子メールの文字列より煩雑な操作なく楽曲を選曲することができるので、メールの内容に適合した音楽を適宜提供することができる。
【００３５】
（実施の形態２）
図５は、本発明の実施の形態２の楽曲選択装置を示すブロック図である。図５において、図１の実際の形態と同じブロックは、同じ番号で示している。２１はメールサーバ、５８は電子メールを送信する電子メール送信手段、５９は電子メールを受信する電子メール受信手段である。以下、実施の形態１と異なる部分を中心に説明する。実施の形態２では、送信する電子メールに対して、文字列検出、印象値検索、選曲までをメールサーバ２１で行う。そして、音楽ソース格納手段５５より得た音楽信号を電子メール送信手段５８に与え、その音楽信号を電子メールに添付して、送信する。電子メール受信手段５９では、受信した電子メールに添付されている音楽信号を音楽ソース再生手段５７に与え、音楽ソース再生手段５７で再生する。
【００３６】
電子メールを受信したことを知らせる音として、この音楽信号を再生すれば、メールを受け取った際にメールの内容を直感的に理解することができる。また、アーティスト情報と組み合わせることで、より直感的な理解が得られる。例えば、恋人からのメールはＡというアーティスト、上司からのメールはＢというアーティストなどと設定しておく。メール受信時にＡというアーティストの楽しい曲が流れれば、恋人からのうれしいメールだとすぐに理解できるし、Ｂというアーティストの暗い曲が流れれば、上司からの怒りのメールだと理解できる。
【００３７】
本実施の形態はＰＣだけではなく、携帯端末の電子メール機能でも使用することができる。メールサーバで選曲までを行うので、携帯端末でも電子メールを受信したと同時に音楽を再生することができる。
【００３８】
（実施の形態３）
図６は、本発明の実施の形態３のブロック図である。図６では、ヘッダー情報も加味して適切な選曲を行うものである。６０は電子メールからヘッダー情報を検出するヘッダー情報検出手段、６１は検出したヘッダー情報を用いて印象値を修正する印象値修正手段である。実施の形態１と異なる点について説明する。
【００３９】
本実施の形態では、ヘッダー情報検出手段６０、印象値修正手段６１を追加している。ヘッダー情報検出手段６０は、サブジェクト、メール送信時刻、メール受信時刻、メール送信者などの電子メールのヘッダー情報のうち、必要なものを抽出し、ヘッダー情報として印象値修正手段６１に与える。
【００４０】
印象値修正手段６１は、検索中心座標値に対して、その座標値を修正する。例えば、サブジェクトで検出した特定文字列の印象値を重み付けするように修正したり、メール送信時刻と関連のある特定文字列の印象値を重み付けするように修正する。具体的には、朝、送信されたメールであれば、「おはよう」といった文字列の印象値を重み付けする。印象値修正手段６１の出力する修正済み印象値は、印象値検索手段５２に与えられ、既に説明したように、印象値検索による選曲を行う。
【００４１】
つぎに、本実施の形態の機能を実現する方法について図７を用いて説明する。本実施の形態は、メール本文の文字列に加えて、電子メールのヘッダー情報も加味して、適切な選曲を行うものである。図４で説明した実施の形態１の機能実現の方法と異なる点について説明する。
【００４２】
本実施の形態では、図７に示すように、ヘッダー情報抽出ステップ（ＳＴ２１）、印象値修正ステップ（ＳＴ２２）を追加する。ヘッダー情報抽出ステップ（ＳＴ２１）は、サブジェクト、メール送信時刻、メール受信時刻、メール送信者などの電子メールのヘッダー情報のうち、必要なものを抽出し、ヘッダー情報として印象値修正ステップ（ＳＴ２２）に与える。サブジェクトはメール本文の内容に関係し、特定文字列があれば検出する。
【００４３】
印象値修正ステップ（ＳＴ２２）は、検索中心座標値に対して、その座標値を修正する。例えば、サブジェクトで検出した特定文字列の印象値を重み付けするように修正したり、メール送信時刻と関連のある特定文字列の印象値を重み付けするように修正する。具体的には、朝、送信されたメールであれば、「おはよう」といった文字列の印象値を重み付けする。印象値修正ステップ（ＳＴ２２）の出力する修正済み印象値は、印象値検索ステップ（ＳＴ１３）に与えられ、既に説明したように、印象値検索による選曲を行う。
【００４４】
本実施の形態では、電子メール本文の文字列からだけでは特定しにくいメールの内容をヘッダー情報を利用することで具体化し、よりメールの内容に適合した音楽を選曲することができる。
【００４５】
【発明の効果】
以上詳述したように、本発明は電子メールの文字列より煩雑な操作なく楽曲を選曲するため、メールの内容に適合した音楽を適宜再生し提供することができる。
【００４６】
電子メール受信時に、そのメールの内容に合った楽曲が自動的に再生されるので、電子メールの内容を直感的に理解することができる。
【００４７】
新曲を追加しても、タイトルや選曲用の曲番号を利用者が覚えたりする必要がない。新曲を配信する場合も、同様の効果が得られる。
【００４８】
文字列・印象値変換テーブル、顔文字・印象値変換テーブルなどをセンターから配信したり、更新したり、利用者側からフィードバックしたり、利用者間で共有することにより、印象空間を共有することができる。選曲システムを流行に合わせたり、音楽再生の世界を共有することができる。
【図面の簡単な説明】
【図１】本発明の一実施形態による楽曲選曲装置を示すブロック図
【図２】本発明の一実施形態による文字列・印象値変換テーブルを示す図
【図３】本発明の一実施形態による顔文字・印象値変換テーブルを示す図
【図４】本発明の一実施形態による楽曲選曲方法を示すフローチャート
【図５】本発明の一実施形態による楽曲選曲装置を示すブロック図
【図６】本発明の一実施形態による楽曲選曲装置を示すブロック図
【図７】本発明の一実施形態による楽曲選曲方法を示すフローチャート
【符号の説明】
２１　メールサーバ
５０　文字列検出手段
５１　文字列−印象値変換手段
５２　印象値検索手段
５３　印象値データベース
５４　印象値算出手段
５５　音楽ソース格納手段
５６　音楽ソース選択手段
５７　音楽ソース再生手段
５８　電子メール送信手段
５９　電子メール受信手段
６０　ヘッダー情報検出手段
６１　印象値修正手段
１００　音響信号入力手段
【図１】
2004126934.tif 000003
【図２】
2004126934.tif 000004
【図３】
2004126934.tif 000005
【図４】
2004126934.tif 000006
【図５】
2004126934.tif 000007
【図６】
2004126934.tif 000008
【図７】
2004126934.tif 000009